(57)【要約】      （修正有）【課題】表側生地と裏側生地とからなる主体部の上部に、表側生地と裏側生地とからなる飾り部が連続して形成される襟飾りにおいて、飾り部の前後の肉厚を、別生地を追加して重ね合わせることなく増大させて、結束した結び目状に形成した襟飾りを提供する。【解決手段】主体部ａの表側生地と裏側生地の上縁部位を、飾り部ｂの内腔に向けてたぐり上げ、飾り部の表側生地及び裏側生地の各内面側に重ね合わせて、縫着する。【選択図】図６
0003201908.tif 000002
【実用新案登録請求の範囲】
【請求項１】
着装時に、シャツ（１）の胸元の前面に位置する主体部（ａ）と、シャツ（１）の襟元の前面に位置する飾り部（ｂ）とを備え、それら主体部（ａ）と飾り部（ｂ）の、それぞれの表側生地（ａ１）と表側生地（ｂ１）、及び裏側生地（ａ２）と裏側生地（ｂ２）とが、それぞれ上下方向において連続し、かつ、その連続する主体部（ａ）の表側生地（ａ１）と飾り部（ｂ）の表側生地（ｂ１）に対し連続する主体部（ａ）の裏側生地（ａ２）と飾り部（ｂ）の裏側生地（ｂ２）とが重合してそれらの端縁部の縫合により、一本の連続する袋状をなす襟飾りを形成し、該襟飾りの主体部（ａ）の表側生地（ａ１）と飾り部（ｂ）の裏側生地（ｂ２）の上端側の部位を、該本体の内腔側で、飾り部（ｂ）の表側生地（ｂ１）と裏側生地（ｂ２）の内側位置に向けてたぐり上げ、そのたぐり上げた部位を、飾り部（ｂ）の表側生地（ｂ１）及び裏側生地（ｂ２）の内面に沿い折り畳んで、その飾り部（ｂ）の表側生地（ｂ１）及び裏側生地（ｂ２）の各内面に重ね合わせて、縫い合わすことにより、たぐり上げ部（α）の下縁の上方に該たぐり上げ部（α）により膨出した飾り部（ｂ）を形成することを特徴とする襟飾り。
【考案の詳細な説明】
【技術分野】
【０００１】
本考案は、洋服の襟元に着装するネクタイ・ブローチ等の襟飾りのうちで、着装したシャツの襟元の第１ボタンを第１ボタンホールから外して、シャツを開襟の状態としたところに、その外した第１ボタンと第１ボタンホールを利用して着装するようにした状態の襟飾りについての改良に関する。
【背景技術】
【０００２】
洋服の襟元に装着するネクタイ・ブローチ等の襟飾りのうちで、着装したシャツの襟元の第１ボタンと第１ボタンホールとの嵌め合いを外して、シャツを開襟の状態としたところに、その嵌め合いを外した第１ボタンと第１ボタンホールとを、襟飾りを着装するための装着手段に利用して、襟飾りの着装が行われるようにした形態の襟飾りは、実用新案登録第３１９１０６０号公報、同第３１９１０６１号公報にあるように、本願の出願人が既に開発して公知のものとなっている。
【０００３】
この形態の襟飾りは、図により具体的に説明すれば、図１にあるように、着装したシャツ１の胸元の第１ボタン２と第１ボタンホール３との係合を外して、シャツ１の襟元を図２にあるように開襟の状態とし、この開襟の状態としたシャツ１の襟元部に、装着するようにするが、その襟飾りＡは、図３にあるように、着装したときに、シャツ１の胸部の前面に帯状に垂れ下がるようになる主体部ａと、その主体部ａの上方に連続するよう形成されてシャツ１の開襟とした襟元の前面に位置するようになる飾り部ｂとを備える形態のものに形成してあり、かつ、襟元の前面に位置するようになる飾り部ｂには、その左右の肩部からそれぞれ外側に向けて角状に張り出す張出部ｃ・ｄが形成してある。そして、この張出部ｃ・ｄには、シャツ１の第１ボタン２が取り付けられているシャツ１の立ち代１０の外面に重合していくようになる側の一方の張出部ｃにあっては、前記第１ボタン２に対し係脱自在に係合するボタンホール等の係合部材ｅを付設しておき、また、第１ボタンホール３が形設されるシャツ１の立ち代１０の外面に重合していくようになる他方の張出部ｄにあっては、前記第１ボタンホール３に対して係脱自在に係着する係止ボタン等の係止部材ｆを付設しておいて、これら係合部材ｅと係止部材ｆの、シャツ１の襟元の立ち代１０に付設してある第１ボタン２及び第１ボタンホール３に対する係合により、張出部ｃ・ｄをシャツ１の襟元の立ち代１０・１０に止着することで、襟飾りＡの着装が行われるようにしている。
【０００４】
ところで、上述の形態とした襟飾りＡは、それをネクタイ生地を所定形状に截断して、縫い合わせて襟飾りＡに仕立てるときに、ネクタイ生地Ｋは、図７に示しているように、主体部ａの表側生地ａ１と裏側生地ａ２及び飾り部ｂの表側生地ｂ１と裏側生地ｂ２とが連続するように、一枚のネクタイ生地Ｋを型どり截断しておいて、その主体部ａの裏側生地ａ２を、表側生地ａ１の裏面に向けて折り返して重ね合わせ、また、飾り部ｂの裏側生地ｂ１も同様に表側生地ｂ２の裏面に向けて折り返して重ね合わせ、これら折り返した裏側生地ａ２及び裏側生地ｂ２の突き合わされる端縁を縫い合わせることで、一本の袋状をなす襟飾りＡに仕立てるようにしている。
【０００５】
このことから、仕立てた襟飾りＡの飾り部ｂが、表側生地ｂ１と裏側生地ｂ２とが重なり合うだけの薄手の形態のものとなって、結び目を表現するよう厚さ方向に膨らみのある形態とはかけ離れたものとなってしまい、装飾性の乏しいものとしている問題が生じている。
【０００６】
また、飾り部ｂには、それの内部に、樹脂材または金属線材により図９に示しているよう該飾り部ｂの内側の輪郭形状に対応する形状に構成した骨格Ｓを装入して、該骨格Ｓによりネクタイ生地よりなる飾り部ｂの形状を、所定の形状に整形するようにするが、この飾り部ｂ内に装入しておく骨格Ｓによる整形は、飾り部ｂを平面視の形状において整形するに留まり、厚さ方向に膨らみをもたせた形状には整形し得ない。
【０００７】
このため、上述の形態の襟飾りＡは、それの飾り部ｂを、厚さ方向に膨らみのある形態のものに仕立てるには、ネクタイ生地Ｋの表側生地ａ１と裏側生地ａ２とを重ね合わせて形成される飾り部ｂの外面に、別に用意しておく追加生地（図示省略）を多層に重ねて縫い付け、飾り部ｂの厚みを増大させて、膨らみをもたせた形状に形成しなければならず、面倒で厄介な手間を要する問題を生ぜしめる。
【先行技術文献】
【特許文献】
【０００８】
【特許文献１】実用新案登録第３１９１０６０号公報
【特許文献２】実用新案登録第３１９１０６１号公報
【考案の概要】
【考案が解決しようとする課題】
【０００９】
本考案において解決しようとする課題は、連続するネクタイ生地を、主体部ａの表側生地ａ１と裏側生地ａ２と飾り部ｂの表側生地ｂ１と裏側生地ｂ２とが連続する状態に型どりして截断し、主体部ａの裏側生地ａ２と飾り部ｂの裏側生地ｂ２とを、それぞれ、前記主体部ａの表側生地ａ１の裏面側と飾り部ｂの表側生地ｂ１の裏面側とに重ね合わせ、それら折り返して重ねた裏側生地ａ２と裏側生地ｂ２の端縁を縫合により閉じ合わせて、一本の袋状に仕立てる襟飾りＡにおいて、その袋状をなす襟飾りＡに形成される飾り部ｂを、その飾り部ｂの外面に被せて重ね合わせる別生地を用意することなく、かつ、別生地を縫い合わせる厄介な手間を要することなく、飾り部ｂを厚さ方向に膨らみのある形態に仕立てられるようにする点にある。
【課題を解決するための手段】
【００１０】
本考案において、上述の課題を解決するための手段として、着装時に、シャツ１の胸元の前面に位置する主体部ａと、シャツ１の襟元の前面に位置する飾り部ｂとを備え、それら主体部ａと飾り部ｂの、それぞれの表側生地ａ１と表側生地ｂ１、及び裏側生地ａ２と裏側生地ｂ２とが、それぞれ上下方向において連続し、かつ、その連続する主体部ａの表側生地ａ１と飾り部ｂの表側生地ｂ１に対し連続する主体部ａの裏側生地ａ２と飾り部ｂの裏側生地ｂ２とが重合してそれらの端縁部の縫合により、一本の連続する袋状をなす襟飾りを形成し、該襟飾りの主体部ａの表側生地ａ１と飾り部ｂの裏側生地ｂ２の上端側の部位を、該本体の内腔側で、飾り部ｂの表側生地ｂ１と裏側生地ｂ２の内側位置に向けてたぐり上げ、そのたぐり上げた部位を、飾り部ｂの表側生地ｂ１及び裏側生地ｂ２の内面に沿い折り畳んで、その飾り部ｂの表側生地ｂ１及び裏側生地ｂ２の各内面に重ね合わせて、縫い合わすことにより、たぐり上げ部αの下縁の上方に該たぐり上げ部αにより膨出した飾り部ｂを形成することを特徴とする襟飾りを提起するものである。
【考案の効果】
【００１１】
本考案による襟飾りＡは、着装したときに、シャツ１の胸元の前面に位置して垂れ下がるようになる主体部ａの上方に連続してシャツ１の襟元部位に位置してくるようになる飾り部ｂが、主体部ａを形成しているネクタイ生地よりなる表側生地ａ１と裏側生地ａ２と連続する飾り部ｂの表側生地ｂ１と裏側生地ｂ２とを、二枚重ねに重ねて縫い合わせ、中空の袋を平らに折り畳んだ形態のものに形成したものである。
【００１２】
しかし、この飾り部ｂの内腔には、主体部ａの表側生地ａ１と裏側生地ａ２の上端部が、たぐり上げられてそのたぐり上げ部αが、飾り部ｂの表側生地ｂ１と裏側生地ｂ２の各内面に重合し、縫い合わせてあるから、飾り部ｂを厚さ方向に膨らみのある形状に形成する。
【００１３】
そして、この飾り部ｂに膨らみを形成するための、主体部ａの表側生地ａ１と裏側生地ａ２の上端部の生地は、その表側生地ａ１及び裏側生地ａ２に連続する生地であるから、別生地を用意し、それを飾り部ｂの外面に当て、縫着する厄介な手間を要することなく、飾り部ｂ内に装設し得る。
【００１４】
さらに、飾り部ｂと主体部ａとの境界が、たぐり上げ部αの、上方への折返縁βで形成されるようになるので、飾り部ｂの形態を結び目状に仕上げ、その形状をきれいなものとする。
【図面の簡単な説明】
【００１５】
【図１】シャツの襟元部の正面図である。
【図２】同上シャツの第１ボタンを外して開襟の状態とした状態の正面図である。
【図３】シャツの胸元の前面に垂れ下がるよう位置する主体部と、シャツの襟元の前面に位置する飾り部とが、連続する表側生地と裏側生地とにより、連続する一本の袋状に形成されている形態の襟飾りの着装した状態時の正面図である。
【図４】同上の形態の襟飾りの正面図である。
【図５】本考案を実施せる襟飾りの正面図である。
【図６】同上襟飾りの着装した状態の正面図である。
【図７】同上襟飾りを形成するネクタイ生地の型どり截断した状態時の平面図である。
【図８】同上襟飾りの縦断側面図である。
【図９】同上襟飾りの飾り部内に装置する骨格の正面図である。
【考案を実施するための形態】
【００１６】
次に本考案の実施の態様を、実施例につき図面に従い詳述する。
【実施例１】
【００１７】
図６は、本考案を実施せる襟飾りＡの、シャツ１の襟元部に装着した状態における正面図である。
【００１８】
図において、１は着装したシャツを示し、それの襟元の第１ボタン２は、シャツ１の襟元の第１ボタンホール３から外され、これによりシャツ１の襟元は、正面視においてＶ字状をなす開放部Ｙが形成された開襟の状態に保持されている。
【００１９】
Ａは、上述のシャツ１の襟元部に装着した襟飾りを示す。該襟飾りＡは、着装時にシャツ１の胸元に垂れ下がるようになる主体部ａと、その主体部ａの上端部の上方に連続して、シャツ１の襟元の前面に位置する飾り部ｂとを備える形態のものである。
【００２０】
該襟飾りＡは、通常の、ネクタイ生地を型どり截断して縫合することにより仕立てられているが、そのネクタイ生地Ｋは、図７に示しているように、連続する一枚の生地が用いられ、このネクタイの原反生地から、主体部ａの表側生地ａ１と飾り部ｂの表側生地ｂ１とが、連続する状態に型どり截断して形成してあり、また、主体部ａの裏側生地ａ２と飾り部ｂの裏側生地ｂ２も連続する状態に形成してある。そして、主体部ａの裏側生地ａ２と飾り部ｂの裏側生地ｂ２とを、それぞれ主体部ａの表側生地ａ１及び飾り部ｂの表側生地ｂ１の、それぞれの裏面側に向け折り返して、重ね合わせ、端縁部を縫合することで、主体部ａと飾り部ｂが一本の袋状をなす形態に形成してある。
【００２１】
αは、上述の一本の袋状に形成した襟飾りＡの主体部ａの表側生地ａ１及び裏側生地ａ２の各上端側の部位を、図８にあるように、飾り部ｂの内腔で、該飾り部ｂの表側生地ｂ１及び裏側生地ｂ２のそれぞれの内面側に沿う位置に、たぐり上げたたぐり上げ部αが、折り重ねた状態として、前記飾り部ｂの表側生地ｂ１及び裏側生地ｂ２の各内面側に対し重合して接合する状態としてある。
【００２２】
そして、このたぐり上げ部αは、それの下縁の折返縁βを、飾り部ｂの表側生地ｂ１及び裏側生地ｂ２の下縁部に対し縫い合わせることで、飾り部ｂの内腔に閉じ込まれた状態となって、飾り部ｂ内に装置される。
【００２３】
このとき、たぐり上げ部αの、主体部ａの表側生地ａ１及び裏側生地ａ２に対する折返縁βが、飾り部ｂの下線を形成することで、その飾り部ｂを結束による結び目が形成されているようにするので体裁のよい襟飾りＡを形成するようになる。
【００２４】
なお、襟飾りＡのシャツ１の襟元部に対する装着は、飾り部ｂの左右の肩部に設ける左右の張出部ｃ・ｄに、シャツ１の襟元の、第１ボタン２に対して着脱自在に係合するボタンホールなどの係止手段を付設しておいて、この係止手段のシャツ１のボタンホールに対する係止により行うか、飾り部ｂに設けた張出部ｃ・ｄとシャツ１の襟元部とにスナップボタンの雄型と雌型とを、嵌め合いを外した状態でそれぞれ付設しておいて、それらスナップボタンの雄型と雌型との嵌め合いにより張出部ｃ・ｄをシャツ１の襟元部に止着することで襟飾りＡの装着が行われるようにするか、飾り部ｂの左右の張出部ｃ・ｄを、シャツ１の襟元の立ち代１０の外面に当接し、シャツ１の襟と立ち代１０とにより挟持させることで、襟飾りＡの着装が行われるようにするなど、適宜の手段によって行う。
【００２５】
また、Ｓは飾り部ｂの内部に装入して、該飾り部ｂの形状を整形する骨格であり、弾性を有する樹脂材、またはゴム、または金属線材により、外郭形状が、飾り部ｂの内側の輪郭形状に形成してある。
【００２６】
なお、この飾り部ｂの内部に装入する骨格Ｓは、この例においては、それの上縁部の、左右の中間部位ｓが、裏面側に向け倒れるように傾斜させてあり、これにより、装着した襟飾りの飾り部ｂの上縁部位を、下降させ、かつ、後退させて、その襟飾りの飾り部が、着装した人の顎に干渉くてくるのを防止するようにしている。
【符号の説明】
【００２７】
Ａ    襟飾り
Ｋ    ネクタイ生地
Ｓ    骨格
Ｙ    開放部
α    たぐり上げ部
β    たぐり上げ部の折返縁
ａ    主体部
ａ１  主体部の表側生地
ａ２  主体部の裏側生地
ｂ    飾り部
ｂ１  飾り部の裏側生地
ｂ２  飾り部の表側生地
ｃ・ｄ    張出部
ｅ    係合部材
ｆ    係止部材
ｓ    骨格の上縁部の左右の中間部位
１    シャツ
２    第１ボタン
３    第１ボタンホール
１０    立ち代
【図１】
0003201908.tif 000003
【図２】
0003201908.tif 000004
【図３】
0003201908.tif 000005
【図４】
0003201908.tif 000006
【図５】
0003201908.tif 000007
【図６】
0003201908.tif 000008
【図７】
0003201908.tif 000009
【図８】
0003201908.tif 000010
【図９】
0003201908.tif 000011